(57)【要約】【課題】血圧測定時には腕を正しい姿勢で支持するとともに無理な姿勢での測定を防止し、不使用時にはコンパクトに収納できて省スペース化を図ることができる血圧計の提供。【解決手段】上腕を挿入するための開口部４を有するハウジング３と、開口部の周囲に設けられて上腕の挿入孔を形成する腕帯２とを備える血圧計１であって、ハウジングにアームレスト７を設け、アームレストをハウジングに対して、挿入孔を閉塞する収納位置と、挿入孔を開放して上腕を挿入可能とする開放位置との間で回動するように支持し、前記ハウジングの上面部３ａには、電源のオン／オフスイッチ、血圧測定開始／停止スイッチ、記憶データの呼出／取消スイッチ、表示切替スイッチとしての機能を有する操作部６，４２が設けられ、前記開口部の周囲は、被測定者が上腕を挿入しやすい滑らかな曲面状である。【選択図】図２
2010240458.tif 000002
【特許請求の範囲】
【請求項１】
上腕を挿入するための開口部を有するハウジングと、前記開口部の周囲に設けられて上腕の挿入孔を形成する腕帯とを備える血圧計であって、
前記ハウジングにアームレストを設け、
前記アームレストを前記ハウジングに対して、前記挿入孔を閉塞する収納位置と、前記挿入孔を開放して上腕を挿入可能とする開放位置との間で回動するように支持し、
前記ハウジングの上面部には、電源のオン／オフスイッチ、血圧測定開始／停止スイッチ、記憶データの呼出／取消スイッチ、表示切替スイッチとしての機能を有する操作部が設けられ、
前記開口部の周囲は、被測定者が上腕を挿入しやすい滑らかな曲面状であることを特徴とする血圧計。
【請求項２】
前記アームレストは、前記収納位置において形状的に突出した部分がなく、前記ハウジングの外形と一体化するようにしたことを特徴とする請求項１に記載の血圧計。
【発明の詳細な説明】
【技術分野】
【０００１】
本発明は、上腕に挿入する腕帯がハウジングに内蔵されて、被測定者の上腕に腕帯を巻き付ける必要がなく、左右いずれの上腕でも血圧測定が可能な血圧計に関する。
【背景技術】
【０００２】
従来、病院などに据え付けられた血圧計は、被測定者の一方（例えば、利き腕ではない方）の上腕を腕帯で囲まれた開口部に挿入し、他方の手で測定開始スイッチなどの操作部を操作して血圧を測定する。しかし、上記他方の腕が不自由であると、操作が極めて困難となる。
【０００３】
また、腕帯を巻き付けるタイプの血圧計において、当該腕帯と血圧計本体部とを分離独立させたものがある（例えば、特許文献１，２参照）。
【先行技術文献】
【特許文献】
【０００４】
【特許文献１】特開平５−５６９３８号公報
【特許文献２】特開平５−１３７６９７号公報
【特許文献３】特開２０００−２１７７９４号公報
【発明の概要】
【発明が解決しようとする課題】
【０００５】
しかし、上記特許文献１では、腕帯自体の姿勢が不安定であるため、血圧測定時の操作性や持ち運び時の利便性に欠けるという問題がある。また、上記特許文献２では、片腕が不自由なときに腕帯を腕に巻き付けることが難しい。このような不便さを改善するためには、上腕に挿入する腕帯を血圧計本体部のハウジングに内蔵し、被測定者が血圧計の挿入孔に上腕を挿入するだけで血圧測定が可能な構成が有用である（例えば、特許文献３参照）。しかしながら、腕帯をハウジングに内蔵した構成では、ハウジング内の腕帯に加圧エアを供給するポンプ部や腕をそ血する際の圧力を一定に保持する減圧弁、更にはそれらを制御する制御ユニット等も内蔵しているため、外形サイズや重量が大きくなり、設置位置をあまり変えない使い方が向いている。そして、このような使い方では、使用時（血圧測定時）の操作性を向上すると同時に、不使用時にはコンパクトに収納できることが望ましいと言える。
【０００６】
本発明は、上記課題に鑑みてなされ、その目的は、血圧測定時には腕を正しい姿勢で支持するとともに無理な姿勢での測定を防止し、不使用時にはコンパクトに収納できて省スペース化を図ることができる血圧計を提供することである。
【課題を解決するための手段】
【０００７】
上述の課題を解決し、目的を達成するために、本発明の血圧計は、上腕を挿入するための開口部４を有するハウジング３と、開口部の周囲に設けられて上腕の挿入孔を形成する腕帯２とを備える血圧計１であって、ハウジングにアームレスト７を設け、アームレストをハウジングに対して、挿入孔を閉塞する収納位置と、挿入孔を開放して上腕を挿入可能とする開放位置との間で回動するように支持し、前記ハウジングの上面部３ａには、電源のオン／オフスイッチ、血圧測定開始／停止スイッチ、記憶データの呼出／取消スイッチ、表示切替スイッチとしての機能を有する操作部６，４２が設けられ、前記開口部の周囲は、被測定者が上腕を挿入しやすい滑らかな曲面状である。
【０００８】
また、上記構成において、前記アームレストは、前記収納位置において形状的に突出した部分がなく、前記ハウジングの外形と一体化するようにした。
【発明の効果】
【０００９】
以上説明したように、本発明によれば、血圧測定時には腕を正しい姿勢で支持するとともに無理な姿勢での測定を防止し、不使用時にはコンパクトに収納できて省スペース化を図ることができる。
【図面の簡単な説明】
【００１０】
【図１】本発明に係る実施形態の血圧計であって、アームレストを開いた状態（ａ）と閉じた状態（ｂ）を示す正面斜視図である。
【図２】本発明に係る実施形態の血圧計であって、アームレストを開いた状態（ａ）と閉じた状態（ｂ）を示す背面斜視図である。
【図３】リモコンユニットの表示部における表示例を示す図である。
【図４】本発明に係る実施形態の血圧計の機能ブロック図である。
【図５】リモコンユニットの記憶部に記憶された情報を例示する図である。
【発明を実施するための形態】
【００１１】
以下に、本発明の実施の形態について、添付図面を参照して詳細に説明する。尚、以下に説明する実施の形態は、本発明の実現手段としての一例であり、本発明は、その趣旨を逸脱しない範囲で下記実施形態を修正又は変形したものに適用可能である。
【００１２】
［第１の実施形態］
図１は、本発明に係る実施形態の血圧計であって、アームレストを開いた状態（ａ）と閉じた状態（ｂ）を示す正面斜視図、図２は、本発明に係る実施形態の血圧計であって、アームレストを開いた状態（ａ）と閉じた状態（ｂ）を示す背面斜視図である。
【００１３】
図１及び図２に示すように、本実施形態として例示する血圧計１は、血圧測定時に上腕を圧迫する腕帯としてのカフ部２が、血圧計本体部１０のハウジング３に内蔵された構造を有し、被測定者の上腕にカフ部２を巻き付ける必要がなく、左右いずれの上腕でも血圧測定が可能な腕挿入型の血圧計である。
【００１４】
ハウジング３には、血圧計本体部１０の後述する制御ユニットを遠隔操作可能なリモコンユニット４０がハウジング３のアダプタソケット部５に対して着脱可能に設けられ、リモコンユニット４０は血圧計本体部１０を操作するための操作部４２や測定結果などを表示する表示部４３を有し、片手で操作できて、被測定者のポケットなどに収納できるような携帯可能なサイズとされる。
【００１５】
リモコンユニット４０の表示部４３には、図３（ａ）の表示例のように、最高血圧値／最低血圧値、脈拍値（脈拍数）、測定日及び時刻、トレンドグラフ等がＬＣＤに表示される。なお、上記表示部４３には、測定開始後、正しい測定結果を得るための「深呼吸」や「リラックス」等のメッセージ（図３（ｂ）参照）や、脈拍測定中であることを表すキャラクタ（図３（ｃ）参照）が表示される。また、その他の表示例として、加圧動作、減圧（排気）動作、血圧測定動作等の表示がなされる場合もある。また、選択スイッチを設けて、複数の被測定者（使用者）の血圧値（最高血圧値／最低血圧値）やその測定時刻などをトレンド記憶／表示することもでき、１人の被測定者（使用者）のパーソナルユースとしても適用可能である。
【００１６】
上記ハウジング３には、被測定者の腕を差し込むための開口部４が設けられており、この開口部４の内周面には上腕への挿入孔を形成する可撓性の布袋やゴム袋からなるカフ部２が設けられている。この開口部４の周囲は滑らかな曲面状に形成されており、被測定者が上腕を挿入しやすい形状となっている。また、ハウジング３の上面部３ａには、リモコンユニット４０を着脱自在に収納するためのアダプタソケット部５やオン／オフスイッチなどの操作部６が設けられている。
【００１７】
上記操作部６，４２としては、例えば、電源のオン／オフスイッチや血圧測定開始／停止スイッチの他、記憶データの呼出／取消スイッチ、トレンドグラフなどの表示切換スイッチ、スクロールスイッチが含まれる。
【００１８】
上記ハウジング３の後端面３ｂ側にはアームレスト７が設けられている。このアームレスト７は、ハウジング３の後端面側の下端の軸支部３ｄに対して、挿入孔を閉塞する収納位置（図１（ｂ）及び図２（ｂ）参照）と、挿入孔を開放して上腕の挿入を可能とする開放位置（図１（ａ）及び図２（ａ）参照）との間で回動可能に支持されている。
【００１９】
ハウジング３の前端面３ｃは底面部から第１の角度θ１（例えば、７５°）で後方に傾斜し、後端面３ｂは底面部から第２の角度θ２（例えば、１１０°）で後方に傾斜している。また、アームレスト７は開放位置（使用時）において、設置面から第３の角度θ３（例えば、１５°）で上方に傾斜した姿勢となり、正しい部位での測定を促す機能を持っている。なお、アームレスト７をハウジング３に対して回動可能かつ取り外し可能に構成してもよい。
【００２０】
アームレスト７の軸支部７ｄとは反対側の自由端部には、指等を引っ掛けて被測定者によるアームレスト７の開閉操作を容易化する開口孔７ａが形成されている。また、アームレスト７における腕を受ける支持面（表面）には、その軸支部７ｄから自由端部に亘って凹曲面状の溝部７ｂが形成されており、上腕を正しい位置に案内する機能を持っている。
【００２１】
また、ハウジング３の後端面３ｂはアームレスト７の支持面に合致する形状を有し、アームレストの裏面７ｃは平滑な面を有しているので、アームレスト７は収納位置において形状的に突出した部分がなくハウジング３の外形と一体化する（図２（ｂ）参照）。アームレスト７は、軸支部７ｄにカム状部分を形成する等して開閉時に節度を持たせることによって、不使用時に収納位置から開放位置への倒れを防止し、収納位置を保持するように構成されている。これにより、不使用時にはコンパクトに収納できて省スペース化を図ることができる。
【００２２】
図４は、本発明に係る実施形態の血圧計の機能ブロック図である。
【００２３】
図４に示すように、ハウジング３内には制御ユニット２０が搭載されている。この制御ユニット２０は、電気的な構成要素として、同ユニットに電力を供給するＡＣ或いはＤＣ（電池）電源２１、制御ユニット２０の起動／停止を行うオン／オフスイッチや各種機能に関する操作を行うための操作部６、複数回分の血圧測定値やその測定時刻データなどを記憶する不揮発性メモリなどの記憶部２３、リモコンユニット４０や外部機器との間で赤外線や電波（例えば、Bluetooth）を用いた無線通信を可能とする通信部２４、リモコンユニット４０と通信線３１を介して電気的に接続可能なコネクタ（或いは接点）２５を備え、これら各要素がマイクロコンピュータ２６に接続されている。
【００２４】
更に、制御ユニット２０は、機械的な構成要素として、血圧測定開始時にカフ部２に加圧エアを送る加圧エアポンプ２７、カフ部２の圧力を一定の速度で減圧する排気弁及び加圧エアの圧力を一定圧或いは急速排気により調整する排気弁２８、カフの圧力変動から血管の振動を検知する圧力センサ２９、血流音を検知するマイク部３０などを備える。なお、マイク部３０はカフ部２に内蔵されている。そして、圧力センサ２９の検知信号はフィルタ／アンプ部３３Ａ、マイク部３０の検知信号はフィルタ／アンプ部３３Ｂで夫々ノイズ成分のフィルタリングやフィルタリング後の信号成分を増幅してマイクロコンピュータ２６に入力される。血圧測定は、オシロメトリック法やコロトコフ音法が適用可能であり、前者の方法に従う場合にはマイク部３０は不要である。
【００２５】
また、制御ユニット２０には、演算用クロック回路３５、時計機能を有するクロック回路３６、標準電波を受信するアンテナ、増幅や変調などの機能を持つ電波受信回路３７が設けられており、時刻を補正し、常に正しい時刻をリモコンユニット４０の表示部４３に表示させる。このように、電波時計の機能を持つので、血圧値などの測定時刻を正確に表示できると共に、複数回分の血圧値などの測定データを正確な測定時刻と共に記憶することができ、被測定者の利便性が向上する。
【００２６】
リモコンユニット４０は、電気的な構成要素として、当該ユニット４０に電力を供給するＤＣ（電池）電源４１、制御ユニット２０の起動／停止を行うオン／オフスイッチや各種機能に関する操作を行うための操作部４２、最高／最低血圧測定値、脈拍、時刻などを表示する液晶表示器などの表示部４３、複数回分の血圧測定値やその測定時刻データなどを記憶する不揮発性メモリの記憶部４４、上記制御ユニット２０との間で赤外線や電波（例えば、Bluetooth）を用いた無線通信を可能とする通信部４５、制御ユニット２０と通信線３１を介して電気的に接続可能なコネクタ（或いは接点）４６を備え、これら各要素がマイクロコンピュータ４７に接続されている。なお、上記電波時計の機能をリモコンユニット４０に設けてもよい。
【００２７】
上記制御ユニット２０及びリモコンユニット４０の各マイクロコンピュータ２６，４７には、ＣＰＵ、ＲＯＭ、ＲＡＭ、入出力インターフェース回路などが搭載されている。
【００２８】
リモコンユニット４０がハウジング３のアダプタソケット部５に収納された状態では、両ユニット２０，４０がコネクタ２５，４６により電気的に接続されているので、制御ユニット２０のマイクロコンピュータ２６は、ＲＯＭに記憶された血圧測定プログラムの手順に従って、制御ユニット２０やリモコンユニット４０の操作部６，４２からの操作信号を通信線３１を介して入力処理すると共に、センサ類２９，３０からの検知信号を入力して加圧エアポンプ２７や排気弁２８の駆動信号を出力する一方、圧力センサ２９やマイク部３０の検知信号から血圧や脈拍などの測定値を決定し、これらの値を制御ユニット２０の記憶部２３に保存すると共に、通信線３１を介してリモコンユニット４０の記憶部４４に出力すると共に、表示部４３に表示信号を出力する。また、制御ユニット２０は、通信線３１を介してリモコンユニット４０の電源４１に電力を供給して充電する。なお、電源が充電式電池でない電池の場合、充電する必要はない。制御ユニット２０にリモコンユニット４０がセットされている状態では、制御ユニット２０からリモコンユニット４０に電力を供給する。
【００２９】
リモコンユニット４０をアダプタソケット部５から取り外した状態では、両ユニット２０，４０のコネクタ２５，４６による有線による接続が切断されるので、制御ユニット２０のマイクロコンピュータ２６は、上記血圧測定プログラムの手順に従って、制御ユニット自身の操作部６からの操作信号や、リモコンユニット４０の操作部４２から通信部４５を介して無線（ワイヤレス）により入力した操作信号に基づき、センサ類２９，３０からの検知信号を入力して加圧エアポンプ２７や排気弁２８の駆動信号を出力する一方、圧力センサ２９やマイク部３０の検知信号から血圧や脈拍などの測定値を決定し、これらの値を記憶部２３に保存すると共に、通信部２４を介してリモコンユニット４０に出力すると共に、その表示部４３に表示信号を出力する。
【００３０】
リモコンユニット４０のマイクロコンピュータ４７は、操作部４２による操作信号を通信線３１（リモコン装着時）又は通信部４５（リモコン取り外し時）を介して制御ユニット２０に出力し、制御ユニット２０から受信した測定値を記憶部４４に逐次記憶すると共に、表示信号に基づいて表示部４３を表示制御する。
【００３１】
制御ユニット２０及びリモコンユニット４０は、図５に例示するような、被測定者ごとの識別番号などの識別情報Ｄ１、測定日時情報Ｄ２、血圧値（最高値／最低値）Ｄ３、脈拍数Ｄ４、体温Ｄ５、体重Ｄ６、血糖値Ｄ７、服用した降圧剤や特定保険用食品などの薬剤名Ｄ８、運動量（歩数）Ｄ９などの各種情報を取得、生成して、各記憶部２３，４４に格納する。
【００３２】
また、リモコンユニット４０には、パーソナルコンピュータ（ＰＣ）やプリンタなどの外部機器や、体温計、体重計、血糖値測定器、歩数計などの各測定機器に接続可能な外部接続部４８が設けられ、これらの各データを入力して記憶部４４に記憶したり、プリンタに出力したり、ＰＣにダウンロードすることができる。よって、例えば、医師は、被測定者の所持するリモコンユニット４０から自宅で測定した血圧値等を容易にプリントアウトしたり、ＰＣにダウンロードすることができる。
【００３３】
上記構成において、リモコンユニット４０を各人が所持するようにすれば、病院内などの異なる場所に設置された血圧計１を、被測定者が所持する個々のリモコンユニット４０で共通に操作できる。
【００３４】
また、リモコンユニット４０をハウジング３から取り外して無線（ワイヤレス）で操作できるので、片腕が不自由なときでも、リモコンユニット４０をもう一方（測定する方の腕）の手で操作したり、操作できる位置に置くことで血圧測定時の操作性や視認性を向上できる。
【００３５】
また、血圧計本体部１０にも、リモコンユニット４０と同様に、オン／オフスイッチなどの操作部６を設けているので、被測定者がリモコンユニット４０を所持していない場合や現在の血圧だけを知りたい場合などの血圧測定にも利用可能となる。なお、この場合、血圧測定結果は、スピーカなどを追加して音声により被測定者に報知する構成にすればよい。
【符号の説明】
【００３６】
１  血圧計
２  カフ部
３  ハウジング
４  開口部
５  アダプタソケット部
６，４２  操作部
７  アームレスト
２０  制御ユニット
２１，４１  電源
２３，４４  記憶部
２４，４５  通信部
２５，４６  コネクタ
２６，４７  マイクロコンピュータ
２７  加圧エアポンプ
２８  排気弁
２９  圧力センサ
３０  マイク部
３１  通信線
３３Ａ，３３Ｂ  フィルタ／アンプ部
３５  演算用クロック回路
３６  時計用クロック回路
３７  電波受信回路
４０  リモコンユニット
４３  表示部
４８    外部接続部
【図１】
2010240458.tif 000003
【図２】
2010240458.tif 000004
【図３】
2010240458.tif 000005
【図４】
2010240458.tif 000006
【図５】
2010240458.tif 000007